(57)【要約】【課題】予め定めた計測動作中の荷重計測が失敗しても、作業効率を著しく低下させることなく運搬物の荷重を計測可能にすること。【解決手段】荷重計測部３５は、フロント作業装置１２が計測動作をしていると判定されたときに運搬物の荷重を計測する。再計測判定部３６は、フロント作業装置１２の計測動作の継続した時間に基づいて運搬物の荷重の再計測の要否を判定する。荷重再計測部３８は、運搬物の荷重の再計測が必要であると判定され、かつ、フロント作業装置の動作が停止していると判定されたとき、ブームシリンダの圧力とフロント作業装置の姿勢とに基づいて運搬物の荷重を計測する。表示装置３１は、運搬物の荷重の再計測が必要であると判定されたときに、オペレータにフロント作業装置１２の動作の停止を促す表示をする。【選択図】  図２
2018154976.tif 000002
【特許請求の範囲】
【請求項１】
流体圧シリンダで駆動され、運搬物を運搬する作業腕と、
前記流体圧シリンダの圧力を検出する圧力検出装置と、
前記作業腕の姿勢を検出する姿勢検出装置と、
前記作業腕の姿勢に基づいて前記作業腕が所定の計測動作をしているか否かを判定する計測動作判定部、及び、前記計測動作判定部により前記作業腕が前記所定の計測動作をしていると判定されたときに前記流体圧シリンダの圧力と前記作業腕の姿勢に基づいて前記運搬物の荷重を計測する荷重計測部を有する制御装置とを備えた作業機械において、
前記制御装置は、
前記計測動作判定部により前記作業腕が前記所定の計測動作をしている状態から前記所定の計測動作をしていない状態に遷移したと判定されたときに、前記作業腕が前記所定の計測動作をしていた状態が継続した時間に基づいて前記運搬物の荷重の再計測の要否を判定する再計測判定部と、
前記作業腕の姿勢に基づいて前記作業腕の動作が停止しているか否かを判定する停止判定部と、
前記再計測判定部により再計測が必要であると判定され、かつ、前記停止判定部により前記作業腕の動作が停止していると判定されたときに、前記流体圧シリンダの圧力と前記作業腕の姿勢とに基づいて前記運搬物の荷重を計測する荷重再計測部とをさらに備え、
前記再計測判定部により再計測が必要であると判定されたときに、オペレータに前記作業腕の動作の停止を促す旨報知する報知装置をさらに備える
ことを特徴とする作業機械。
【請求項２】
請求項１の作業機械において、
前記報知装置は、前記荷重計測部及び前記荷重再計測部で計測された前記運搬物の荷重を表示する表示装置であり、
前記表示装置は、前記再計測判定部により再計測が必要であると判定され、かつ、前記停止判定部により前記作業腕の動作が停止していると判定されたとき、前記荷重再計測部で計測された前記運搬物の荷重を表示することを特徴とする作業機械。
【請求項３】
請求項１の作業機械において、
前記所定の計測動作は、前記作業腕に保持した前記運搬物を前記流体圧シリンダを駆動することにより持ち上げる動作であることを特徴とする作業機械。
【請求項４】
請求項１の作業機械において、
前記荷重再計測部は、前記流体圧シリンダの圧力と、前記作業腕の姿勢と、前記流体圧シリンダに発生する静止摩擦力とに基づいて、前記運搬物の荷重を計測することを特徴とする作業機械。
【発明の詳細な説明】
【技術分野】
【０００１】
本発明は運搬物の荷重計測が可能な作業機械に関する。
【背景技術】
【０００２】
作業機械である油圧ショベルは、油圧シリンダによって駆動される作業腕（フロント作業装置）を用いてバケット内に運搬物を取得・保持し、その運搬物をダンプトラックなどの運搬車両に積込む積込作業を行うことがある。積込作業での運搬車両への過積載を防止する等の目的で、作業腕の油圧シリンダの負荷圧と作業腕の姿勢によってモーメントの釣り合いを演算し、運搬物の荷重を計測する技術が開発されている。
【０００３】
作業効率の観点からは、積込作業を阻害しない形式で運搬物の荷重が計測されることが好ましい。この点に鑑み、特許文献１では、作業腕で運搬物を取得してから作業腕を運搬車両の上方に移動させて積込（放土）を開始するまでの運搬動作中に、作業腕の先端に位置するツール（バケット）の速度が略一定となる期間に運搬物の荷重を計測することで、積込作業を阻害しない運搬物の荷重計測を実現している。
【先行技術文献】
【特許文献】
【０００４】
【特許文献１】特許第５４０６２２３号公報
【発明の概要】
【発明が解決しようとする課題】
【０００５】
ここで運搬物の荷重計測が行われる動作として予め規定されている所定の動作を「計測動作」と定義すると、特許文献１の計測動作は、作業腕による運搬動作（より具体的には運搬物を作業腕に保持した状態での旋回動作）である。ところで、特許文献１の荷重計測は常に成功するわけではなく、例えば計測動作中にツールの速度が略一定となる期間が無い場合には荷重計測に失敗することがある。荷重計測が失敗した場合には計測動作を再度行う必要があるが、引用文献１の技術には荷重計測が失敗したことを作業機械のオペレータに報知する手段がないため、オペレータ主導で再計測を行うことは難しい。仮に「報知」が可能でオペレータが荷重計測の失敗を認識できたとしても、作業腕による運搬動作を計測動作としている特許文献１の方法では、失敗を認識した時点では運搬動作は既に完了直前又は完了していると想定されるので、荷重計測だけの目的で運搬動作（旋回動作）を再度行う必要がある。このような再度の運搬動作の実施は、積込作業では無駄な動作となるので、積込作業の作業効率を著しく低下させる。
【０００６】
本発明の目的は、運搬物の荷重計測が行われる計測動作が決まっている場合、その計測動作中の荷重計測が失敗しても、作業効率を著しく低下させることなく運搬物の荷重を計測可能にすることにある。
【課題を解決するための手段】
【０００７】
本願は上記課題を解決する手段を複数含んでいるが、その一例を挙げるならば、流体圧シリンダで駆動され、運搬物を運搬する作業腕と、前記流体圧シリンダの圧力を検出する圧力検出装置と、前記作業腕の姿勢を検出する姿勢検出装置と、前記作業腕の姿勢に基づいて前記作業腕が所定の計測動作をしているか否かを判定する計測動作判定部、及び、前記計測動作判定部により前記作業腕が前記所定の計測動作をしていると判定されたときに前記流体圧シリンダの圧力と前記作業腕の姿勢に基づいて前記運搬物の荷重を計測する荷重計測部を有する制御装置とを備えた作業機械において、前記制御装置は、前記計測動作判定部により前記作業腕が前記所定の計測動作をしている状態から前記所定の計測動作をしていない状態に遷移したと判定されたときに、前記作業腕が前記所定の計測動作をしていた状態が継続した時間に基づいて前記運搬物の荷重の再計測の要否を判定する再計測判定部と、前記作業腕の姿勢に基づいて前記作業腕の動作が停止しているか否かを判定する停止判定部と、前記再計測判定部により再計測が必要であると判定され、かつ、前記停止判定部により前記作業腕の動作が停止していると判定されたときに、前記流体圧シリンダの圧力と前記作業腕の姿勢とに基づいて前記運搬物の荷重を計測する荷重再計測部とをさらに備え、前記再計測判定部により再計測が必要であると判定されたときに、オペレータに前記作業腕の動作の停止を促す旨報知する報知装置をさらに備える。
【発明の効果】
【０００８】
本発明によれば、計測動作中の荷重計測が失敗しても、作業腕を停止させるだけで運搬物の荷重を計測できるので、荷重の再計測に伴う作業効率の低下を抑制できる。
【図面の簡単な説明】
【０００９】
【図１】本発明の実施形態に係る油圧ショベル１の側面図である。
【図２】第１実施形態に係る油圧ショベルに搭載された荷重計測システムの概略構成図である。
【図３】コントローラ２４の計測動作判定部３４で行われる処理のフローチャートである。
【図４】コントローラ２４の荷重計測部３５で行われる処理のフローチャートである。
【図５】コントローラ２４の再計測判定部３６で行われる処理のフローチャートである。
【図６】コントローラ２４の停止判定部３７で行われる処理のフローチャートである。
【図７】コントローラ２４の荷重再計測部３８で行われる処理のフローチャートである。
【図８】第１実施形態に係る表示装置３１の表示画面の遷移の一例を示す図である。
【図９】第２実施形態に係る油圧ショベルに搭載された荷重計測システムの概略構成図である。
【図１０】第２実施形態に係る表示装置３１の表示画面の遷移の一例を示す図である。
【発明を実施するための形態】
【００１０】
便宜上、本稿では作業機械による「運搬作業」を、Ａ）運搬物を取得する動作である「取得動作」、Ｂ）取得した運搬物を目的地までの運搬する動作である「運搬動作」、Ｃ）目的地で運搬物を解放する動作である「解放動作」、という連続した３つの動作を含む作業と定義する。以下では作業機械の代表格たる油圧ショベルを例に挙げて説明する。油圧ショベルによる運搬作業は「積込作業」と称されることもある。この場合、運搬物は土砂であることが多く、Ａ）の取得動作にはバケットへの積込動作だけでなく掘削動作も含まれる。Ｂ）の運搬動作は多くの場合旋回ブーム上げによって行われ、その目的地はダンプトラックの荷台の直上が含まれる。Ｃ）の解放動作は、多くの場合バケットダンプによって行われ、ダンプトラックへの積込動作もこれに含まれる。本発明が対象とする作業機械は、アタッチメントとしてバケットを有する油圧ショベルに限られず、グラップルやリフティングマグネット等、運搬物の保持・解放が可能なものを有する油圧ショベルも含まれる。また、油圧ショベルのような旋回機能の無い作業腕を備えるホイールローダ等にも本発明は適用可能である。
【００１１】
以下、本発明の実施の形態について図面を用いて説明する。  
［油圧ショベルの構成］
図１は本発明の実施形態に係る油圧ショベルの側面図である。この油圧ショベル１は，クローラ式の下部走行体１０と、下部走行体１０の上部に旋回可能に設けられた上部旋回体１１と、上部旋回体１１の前方に取り付けられ油圧シリンダ１６，１７，１８により駆動される多関節型のフロント作業装置（作業腕）１２と、上部旋回体１１を旋回させる旋回油圧モータ２１と，操作者が乗り込みショベルを操作するための操作室（キャブ）２２と、下部走行体１０、上部旋回体１１及びフロント作業装置１２を操作するために操作室２２内に設けられた操作レバー２３と、フロント作業装置１２のバケット１５内に保持された運搬物の荷重算出や、油圧ショベル１の動作制御を含む各種処理を実行するためのコンピュータであるコントローラ（制御装置）２４と、操作室２２の前方に設置され運搬物の荷重の計測結果を含む各種情報を表示画面を介してオペレータに報知する表示装置３１を備えている。
【００１２】
フロント作業装置１２は、上部旋回体１１の前方に回動可能に設けられたブーム１３と、ブーム１３の先端に回動可能に設けられたアーム１４と、アーム１４の先端に回動可能に設けられたバケット１５と、ブーム１３を駆動するブームシリンダ１６と，アーム１４を駆動するアームシリンダ１７と、バケット１５を駆動するバケットシリンダ１８と、バケットシリンダ１８とアーム１４を連結するリンク１９と、バケットシリンダ１８とバケット１５を連結するリンク２０とを備えている。オペレータは操作レバー２３を操作することで、フロント作業装置１２の動作を制御する。オペレータのレバー操作に基づいて、フロント作業装置１２は、その先端に位置するバケット１５内に運搬物を保持し、旋回ブーム上げ動作により当該運搬物を所定の目的地（例えばダンプトラックの荷台の直上）まで運搬する。
【００１３】
ブーム１３，アーム１４，リンク１９にはそれぞれブームＩＭＵ２５，アームＩＭＵ２６，バケットＩＭＵ２７が取り付けられている。ＩＭＵとは、Ｉｎｅｒｔｉａｌ  Ｍｅａｓｕｒｅｍｅｎｔ  Ｕｎｉｔ（慣性計測装置）の略称で、３軸の角度（または角速度）と加速度を検出することができ、本実施の形態ではフロント作業装置１２及びこれを構成する各リンク１３，１４，１５並びに上部旋回体１１の姿勢検出装置３２として機能する。ＩＭＵ２５，２６，２７は、ブーム１３，アーム１４，バケット１５それぞれの回動角度および角速度を取得できる。上部旋回体１１には車体ＩＭＵ２８が取り付けられている。車体ＩＭＵ２８は、上部旋回体１１の旋回角速度と上部旋回体１１の前後方向および左右方向の傾斜角度を取得できる。
【００１４】
ブームシリンダ１６には、ブームシリンダ１６の内部圧力を検出する圧力検出装置３３として、ボトム側の圧力値を検出するブームボトム圧センサ２９と、ロッド側の圧力値を検出するブームロッド圧センサ３０が取り付けられている。
【００１５】
＜第１実施形態＞
［荷重計測システムの構成］
図２は第１実施形態の油圧ショベルに搭載された荷重計測システムの概略構成図である。荷重計測システムはいくつかのソフトウェアの組み合わせとして油圧ショベル１のコントローラ２４、表示装置３１に実装されている。
【００１６】
コントローラ（制御装置）２４は、入力部と、プロセッサ（例えば、中央処理装置（ＣＰＵ））と、記憶装置（例えば、リードオンリーメモリ（ＲＯＭ）やランダムアクセスメモリ（ＲＡＭ））と、出力部（いずれも図示せず）とを有するコンピュータである。コントローラ２４は、４つのＩＭＵ２５−２８で構成される姿勢検出装置３２と、２つの圧力センサ２９，３０で構成される圧力検出装置３３と、表示装置３１とそれぞれ接続されており、姿勢検出装置３２及び圧力検出装置３３から入力される情報に基づいてバケット１５に保持された運搬物の荷重を演算し、その演算結果やオペレータへの指示を表示装置３１に表示するように構成されている。
【００１７】
コントローラ（制御装置）２４は、姿勢検出装置３２の出力から算出されるフロント作業装置１２の姿勢に基づいてフロント作業装置１２が所定の計測動作をしているか否かを判定する計測動作判定部３４と、計測動作判定部３４によりフロント作業装置１２が所定の計測動作をしていると判定されたとき、圧力検出装置３３の出力から算出されるブームシリンダ１６のボトム圧及びロッド圧と、姿勢検出装置３２の出力から算出されるフロント作業装置１２の姿勢に基づいて運搬物の荷重を計測する荷重計測部３５と、計測動作判定部３４によりフロント作業装置１２が所定の計測動作をしている状態から当該所定の計測動作をしていない状態に遷移したと判定されたとき、フロント作業装置１２が当該所定の計測動作をしていた状態が継続した時間に基づいて運搬物の荷重の再計測の要否を判定する再計測判定部３６と、姿勢検出装置３２の出力から算出されるフロント作業装置１２の姿勢に基づいてフロント作業装置１２の動作が停止しているか否かを判定する停止判定部３７と、再計測判定部３６により再計測が必要であると判定され、かつ、停止判定部３７によりフロント作業装置１２の動作が停止していると判定されたとき、ブームシリンダ１６のボトム圧及びロッド圧とフロント作業装置１２の姿勢とに基づいて運搬物の荷重を計測する荷重再計測部３８とを備えている。
【００１８】
表示装置３１は、再計測判定部３６により再計測が必要であると判定されたとき、オペレータにフロント作業装置１２の動作の停止を促す旨を表示するように構成されている。表示装置３１を介してオペレータにフロント作業装置１２の動作の停止を促す手段としては、その旨を意味する文字、図形、記号を表示画面中の所定の場所（再計測報知部３９）に表示するものがある（後述の図８，１０参照）。
【００１９】
次に、コントローラ２４内の各部の処理について図３から図７のフローチャートを用いて説明する。
【００２０】
［計測動作判定部３４の処理］
図３は計測動作判定部３４のフローチャートである。図３のフローチャートは、姿勢検出装置３２の出力を入力として、あらかじめ設定されたサンプリング周期で実行される。
【００２１】
ステップＳ１００では、計測動作判定部３４は、現在の計測動作判定を前回計測動作判定として記憶装置に格納する。計測動作判定とは、計測動作（運搬物の荷重計測が行われる動作として予め規定されている所定の動作）が行われているか否かを示す指標値であり、その値はＴｒｕｅまたはＦａｌｓｅである。具体的には後述のステップＳ１０１で決定される。現在の計測動作判定とは、１周期前の処理が終了した際の計測動作判定であり、１周期前の処理が存在しない起動時の計測動作判定のデフォルト値はＦａｌｓｅとする。
【００２２】
ステップＳ１００が終了したらステップＳ１０１に移動し、計測動作判定部３４は、姿勢検出装置３２の出力に基づいて現在のフロント作業装置１２の動作が計測動作か否かを判定する。本実施形態の計測動作は運搬動作中の動作とし、より具体的には、姿勢検出装置３２の出力からバケット１５の開口面の対地角とブーム１３の持ち上げ速度（ブーム上げ速度）を算出し、バケット１５内の運搬物がこぼれないように設定した所定の範囲内にバケット１５の開口面の対地角があり、かつ、ブーム上げ速度が所定値以上であった場合に計測動作であると判定している。ブーム上げ速度の所定値は、ショベルの車体規模にも依るが、例えば、運搬動作の開始後間もなく達成される値（例えば、操作レバー２３をブーム上げ方向にフル操作した場合に間もなく達成される値）に設定できる。ステップＳ１０１で計測動作であると判定された場合には、ステップＳ１０２に進み、そうでない場合はステップＳ１０４に進む。
【００２３】
ステップＳ１０２では計測動作判定をＴｒｕｅに設定し計測時間カウントをインクリメントし、ステップＳ１０３に進む。計測時間カウントは、フロント作業装置１２が計測動作をしていた状態が継続した時間を示す。
【００２４】
ステップＳ１０４では計測動作判定をＦａｌｓｅに設定しステップＳ１０５に進む。ステップＳ１０５ではＳ１００で格納した前回計測動作判定がＴｒｕｅか否かを判定する。その判定結果がＴｒｕｅの場合にはステップＳ１０６に進み、Ｆａｌｓｅの場合にはステップＳ１０３に進む。
【００２５】
ステップＳ１０６では、前回の周期でＴｒｕｅだった計測動作判定が今回の周期でＦａｌｓｅに遷移したため、動作遷移判定をＴｒｕｅに設定し、ステップＳ１０３に進む。
【００２６】
ステップＳ１０３では、姿勢検出装置３２の出力に基づいて現在のフロント作業装置１２の動作が解放動作（ダンプトラックへの運搬物の積込動作）か否かを判定する。解放動作か否かの判定は、フロント作業装置１２の動作が予め設定した動作か否かに基づいて行い、本実施形態では、バケットダンプの動作又は姿勢が検知された場合に解放動作であると判定する。ここで解放動作と判定された場合には、ステップＳ１０７に進み、動作遷移判定をＦａｌｓｅに設定するとともに計測時間カウントをゼロにリセットして処理を終了する。一方、ステップＳ１０３で解放動作でないと判定された場合は、そのまま処理を終了する。
【００２７】
［荷重計測部３５の処理］
図４に荷重計測部３５のフローチャートを示す。図４のフローチャートはコントローラ２４の荷重計測部３５においてあらかじめ設定されたサンプリング周期で実行される。
【００２８】
ステップＳ２００では、荷重計測部３５は、姿勢検出装置３２と圧力検出装置３３の出力を用いて運搬物の荷重値を演算する。以下にステップＳ２００での演算の一例を示す。
【００２９】
本実施形態の荷重計測部３５は、姿勢検出装置３２と圧力検出装置３３の出力を用いて、ブーム１３、ブームシリンダ１６及びアームシリンダ１７を含むブームアセンブリと、アーム１４、バケットシリンダ１８、リンク１９及びリンク２０を含むアームアセンブリと、バケット１５と、上部旋回体１１の４リンクに関して、ニュートン・オイラー法により下記の式（１）に従って運搬物の荷重値（後述の「運搬物の重量Ｍｐａｙｌｏａｄ」）の演算を行う。
【００３０】
τａ＝Ｍ（ｑａ）αａ＋ｈ３（ｑａ，ωａ）＋ｇ（ｑａ）  …（１）
ここでτａは４×１のベクトルで［τｂｏｄｙ，τｂｏｏｍ，τａｒｍ，τｂｕｃｋｅｔ］と表される。左から順に車体、ブームアセンブリ、アームアセンブリ、バケット１５を回転するトルクを表す。
【００３１】
Ｍ（ｑａ）は４×４の正則対象行列である慣性行列であり、各アセンブリの加速度αａによりそのピン自体に発生するトルク並びに他のアセンブリの加速度によって発生する干渉トルクを示す。
【００３２】
ｈ（ｑａ，ωａ）は４×１のベクトルであり、各アセンブリの速度ωａと各アセンブリの相対角度ｑａから算出される遠心力およびコリオリ力によって生じるトルクを示す。
【００３３】
ｇ（ｑａ）はそれぞれの機構パラメータと各アセンブリの相対角度ｑａから算出される重力負荷である。機構パラメータとは各アセンブリの重量、重心位置、慣性テンソル、および長さを含む。これらのパラメータは、フロント作業装置１２の機構や、ブーム１３、アーム１４、バケット１５，リンク１９およびリンク２０（これらに上部旋回体１１を含めても良い）、並びに、油圧シリンダ１６，１７，１８の形状や材質などに基づいて予め求めておくことが可能な既知の固定値であり、コントローラ２４の記憶装置などに予め記憶しておくことができる。
【００３４】
これらの値に基づいたＭ（ｑａ）、ｈ（ｑａ，ωａ）およびｇ（ｑａ）の算出方法は既知であるため、説明を省略する。
【００３５】
シリンダの推力Ｆｃｙｌは、ブームシリンダ１６のボトム側の圧力センサ２９の検出値をＰｂｔｍ、ロッド側の圧力センサ３０の検出値をＰｒｏｄ、ブームシリンダ１６内部のボトム室の受圧面積をＡｂｔｍ、ロッド室の受圧面積をＡｒｏｄとして、下記の式（２）のように表される。
【００３６】
Ｆｃｙｌ＝Ｐｂｔｍ・Ａｂｔｍ−Ｐｒｏｄ・Ａｒｏｄ    …（２）
ブームシリンダ１６の推力Ｆｃｙｌはブームボトム圧センサ２９の出力信号とブームロッド圧センサ３０の出力信号のそれぞれにブームシリンダ１６の受圧面積を乗じた後、それらの差をとることで算出される。
【００３７】
ブームシリンダ１６が発生するトルクτｃｙｌは、ブーム１３の回動軸とブームシリンダ１６の推力の作用点を結んだ線分の長さをＬｂｍ、ブームシリンダ１６の推力Ｆｃｙｌと線分Ｌｂｍと推力の方向が成す角度をθｂｍｃｙｌとして、下記の式（３）で算出される。
【００３８】
τｃｙｌ＝Ｆｃｙｌ・Ｌｂｍ・ｓｉｎ（θｂｍｃｙｌ）    …（３）
τａのうちブーム１３の回動軸まわりの回転トルクであるτｂｏｏｍとブームシリンダの推力によって発生するτｃｙｌの差分から、運搬物の発生するτｐａｙｌｏａｄは下記の式（４）によって得られる。
【００３９】
τｐａｙｌｏａｄ  ＝τｃｙｌ―τｂｏｏｍ        …（４）
これとτｂｏｏｍのうちブーム１３の回動軸まわりのバケット１５による回転トルクτｂｏｂｋとバケットの重量Ｍｂｕｃｋｅｔから、運搬物の重量Ｍｐａｙｌｏａｄは下記の式（５）によって得られる。
【００４０】
Ｍｐａｙｌｏａｄ  ＝  Ｍｂｕｃｋｅｔ×τｐａｙｌｏａｄ／τｂｏｂｋ  …（５）
次にステップＳ２０１に進み、計測動作判定部３４においてフロント作業装置１２の動作が計測動作であると判定されている場合（すなわち、計測動作判定＝Ｔｒｕｅの場合）にはステップＳ２０２に進み、そうでない場合（すなわち、計測動作判定＝Ｆａｌｓｅの場合）にはそのまま処理を終了する。なお、ステップＳ２０１でフロント作業装置１２の動作が計測動作ではないと判定された場合には、ステップＳ２００で算出した荷重値をリセット（記憶装置に記憶することなく破棄）しても良い。
【００４１】
ステップＳ２０２では、荷重計測部３５は、ステップＳ２００で演算された荷重値の平均荷重値Ｍａｖｅを算出する。ステップＳ２００で演算されたＭｐａｙｌｏａｄと、計測動作判定部３４において演算された計測時間カウント（以下では「ｄＣＮＴ」と称することがある）に対して平均荷重値Ｍａｖｅは下記の式（６）で算出される。
【００４２】
Ｍａｖｅ＝（Ｍａｖｅ・ｄＣＮＴ）／（ｄＣＮＴ＋１）＋Ｍｐａｙｌｏａｄ／（（ｄＣＮＴ＋１））…（６）
次にステップＳ２０３で、荷重計測部３５は、計測動作が所定時間継続したことで荷重計測部３５による荷重演算が成功したか否かを判定する。本実施形態では、計測動作判定部３４による計測時間カウントの値が所定の基準値Ｔ１を超えているか否かを判定することで荷重演算の成否を判断している。所定の基準値Ｔ１は、例えば、運搬動作の全体のうち一部が行われる時間（例えば、ショベルの車体規模にも依るが、数秒前後の値）に設定できる。計測時間カウントが所定の基準値Ｔ１を超えている場合には荷重演算が成功したとみなしてステップＳ２０４に進み、ステップＳ２０４で出力荷重値を平均荷重値Ｍａｖｅに更新し終了する。反対に、所定の基準値Ｔ１を超えていない場合には荷重演算が失敗したとみなしてそのまま処理を終了する。
【００４３】
［再計測判定部３６の処理］
図５に再計測判定部３６のフローチャートを示す。図５のフローチャートはコントローラ２４の再計測判定部３６においてあらかじめ設定されたサンプリング周期で実行される。
【００４４】
ステップＳ３００で、再計測判定部３６は、計測動作判定部３４によりフロント作業装置１２が計測動作をしている状態から計測動作をしていない状態に遷移したか否かを判定する。この判定に際し、本実施形態の再計測判定部３６は、計測動作判定部３４による動作遷移判定を参照し、動作遷移判定がＴｒｕｅであればステップＳ３０１に進み、反対にＦａｌｓｅであればステップＳ３０３に進む。
【００４５】
ステップＳ３０１では、再計測判定部３６は、フロント作業装置１２が計測動作をしていた状態が継続した時間に基づいて運搬物の荷重の再計測の要否を判定する。この判定に際し、本実施形態の再計測判定部３６は、計測動作判定部３４で算出される計測時間カウントを参照する。そして、計測時間カウントが所定の基準値Ｔ１（図４のステップＳ２０３で利用した値と同じ）以下であれば、ステップＳ３０２に進み再計測判定をＴｒｕｅ（つまり、再計測の「要」の判定）に設定して処理を終了する。反対に、計測時間カウントが基準値Ｔ１を超える場合にはＳ３０３に進み、再計測判定部３６は再計測判定をＦａｌｓｅ（つまり、再計測の「不要」の判定）に設定して処理を終了する。
【００４６】
［停止判定部３７の処理］
図６に停止判定部３７のフローチャートを示す。図６のフローチャートはコントローラ２４の停止判定部３７においてあらかじめ設定されたサンプリング周期で実行される。
【００４７】
ステップＳ４００で、停止判定部３７は、姿勢検出装置３２の出力から演算されるフロント作業装置１２の姿勢に基づいてフロント作業装置１２の動作が停止しているか否かを判定する。この判定に際して、本実施形態の停止判定部３７は、姿勢検出装置３２の出力からフロント作業装置１２のうちブーム１３、アーム１４及びバケット１５それぞれの所定時間における姿勢変化量を算出し、その姿勢変化量が所定値以内であるか否かを判定する。ブーム１３、アーム１４及びバケット１５の全ての姿勢変化量が所定値以内の場合には、停止判定部３７はフロント作業装置１２が静止していると判定しステップＳ４０１に進む。反対に、ブーム１３、アーム１４、バケット１５の姿勢変化量のいずれか１つでも所定範囲を超えている場合には、停止判定部３７はフロント作業装置１２が静止していないと判定してステップＳ４０２に進む。
【００４８】
ステップＳ４０１では停止判定部３７は静止時間カウンタをインクリメントして処理を終了する。一方、ステップＳ４０２では静止時間カウンタをリセットして処理を終了する。静止時間カウンタはフロント作業装置１２の静止が継続している時間を示す。
【００４９】
［荷重再計測部３８の処理］
図７に荷重再計測部３８のフローチャートを示す。図７のフローチャートはコントローラ２４の荷重再計測部３８においてあらかじめ設定されたサンプリング周期で実行される。
【００５０】
ステップＳ５００では、荷重再計測部３８は、姿勢検出装置３２と圧力検出装置３３の出力を用いて運搬物の荷重値（後述の「運搬物の重量Ｍｐａｙｌｏａｄｓｔ」）を演算する。以下にステップＳ５００での演算の一例を示す。
【００５１】
まず、荷重再計測部３８は、荷重計測部３５と同様に、姿勢検出装置３２と圧力検出装置３３の出力を用いて式（１）に従ってトルクτ  ａを算出する。
【００５２】
シリンダの推力Ｆｃｙｌｓｔは、ブームシリンダ１６のボトム側の圧力センサ２９の検出値をＰｂｔｍ、ロッド側の圧力センサ３０の検出値をＰｒｏｄ、ブームシリンダ１６内部のボトム室の受圧面積をＡｂｔｍ、ロッド室の受圧面積をＡｒｏｄ、ブームシリンダ１６に発生する静止摩擦力としてあらかじめ設定されている値μを用いて下記の式（７）のように表される。
【００５３】
Ｆｃｙｌｓｔ＝Ｐｂｔｍ・Ａｂｔｍ−Ｐｒｏｄ・Ａｒｏｄ−μ…（７）
ブームシリンダ１６の推力Ｆｃｙｌｓｔはブームボトム圧センサ２９の出力信号とブームロッド圧センサ３０の出力信号のそれぞれにブームシリンダ１６の受圧面積を乗じた後、それらの差をとることで算出される。
【００５４】
ブームシリンダ１６が発生するトルクτｃｙｌｓｔは、ブーム１３の回動軸とブームシリンダ１６の推力の作用点を結んだ線分の長さをＬｂｍ、ブームシリンダ１６の推力Ｆｃｙｌｓｔと線分Ｌｂｍと推力の方向が成す角度θｂｍｃｙｌとして、下記の式（８）で算出される。
【００５５】
τｃｙｌｓｔ＝Ｆｃｙｌｓｔ・Ｌｂｍ・ｓｉｎ（θｂｍｃｙｌ）    …（８）
τａのうちブーム１３の回動軸まわりの回転トルクであるτｂｏｏｍとブームシリンダの推力によって発生するτｃｙｌｓｔの差分から、運搬物の発生するτｐａｙｌｏａｄは下記の式（９）によって得られる。
【００５６】
τｐａｙｌｏａｄ  ＝τｃｙｌ―τｂｏｏｍ        …（９）
これとτｂｏｏｍのうちブーム１３の回動軸まわりのバケット１５による回転トルクτｂｏｂｋとバケットの重量Ｍｂｕｃｋｅｔから、運搬物の重量Ｍｐａｙｌｏａｄｓｔは下記の式（１０）によって得られる。
【００５７】
Ｍｐａｙｌｏａｄｓｔ  ＝  Ｍｂｕｃｋｅｔ×τｐａｙｌｏａｄ／τｂｏｂｋｔ  …（１０）
次に荷重再計測部３８はステップＳ５０１に進み、再計測判定部３６による再計測判定がＴｒｕｅの場合（すなわち、再計測が「要」の場合）にはステップＳ５０２に進む。一方、再計測判定がＦａｌｓｅの場合には、ステップＳ５０７に進み再計測荷重をゼロにリセットして処理を終了する。
【００５８】
ステップＳ５０２では、荷重再計測部３８は、停止判定部３７において算出された停止時間カウンタが正の値である場合はＳ５０３に進み、そうでない場合（つまり、停止時間カウンタがゼロの場合）はそのまま処理を終了する。
【００５９】
ステップＳ５０３では、油圧シリンダ１６，１７，１８の動作が停止しても慣性でフロント作業装置１２に生じる振動の影響を除去するために、荷重再計測部３８はステップＳ５００で演算した運搬物の重量Ｍｐａｙｌｏａｄｓｔに対してローパスフィルタを適用してＭＦｉｌｔｅｒｅｄを求める。
【００６０】
次にステップＳ５０４では、ステップ５０３で演算されたフィルタ処理済み荷重値の平均荷重値Ｍａｖｅを算出する。ステップＳ５０３で演算されたＭＦｉｌｔｅｒｅｄと、計測動作判定部３４において演算された停止時間カウント（以下では「ｓＣＮＴ」と称することがある）に対して平均荷重値Ｍａｖｅｓｔは下記の式（１１）で算出される。
【００６１】
Ｍａｖｅｓｔ＝（Ｍａｖｅｓｔ・ｓＣＮＴ）／（ｓＣＮＴ＋１）＋ＭＦｉｌｔｅｒｅｄ／（（ｓＣＮＴ＋１））    …（１１）
次にステップＳ５０５で、荷重再計測部３８は、フロント作業装置１２の振動が収まっているか否かを判定する。本実施形態では、停止判定部３７で算出される停止時間カウントｓＣＮＴが所定の基準値Ｔ２以上か否かを判定することで振動の有無を判断している。所定の基準値Ｔ２は、ショベルの車体規模にも依るが、例えば数秒程度の値に設定できる。停止時間カウントｓＣＮＴが所定の基準値Ｔ２以上の場合には、フロント作業装置１２の振動が収まった後に荷重値の演算がされた（すなわち、荷重演算は成功した）とみなしてステップＳ５０６に進み、ステップＳ５０６で出力値を平均荷重値Ｍａｖｅｓｔに更新し終了する。反対に、所定の基準値Ｔ２を未満の場合にはフロント作業装置１２の振動中に荷重値が演算された（すなわち、荷重演算は失敗した）とみなしてそのまま処理を終了する。
【００６２】
なお、本実施形態では、荷重再計測部３８に演算される荷重値の精度を上げるために、ステップＳ５０３のフィルタ処理と、ステップＳ５０５の判定処理を行っているが、両処理は省略してもよい。
【００６３】
［表示装置３１の表示画面］
図８は、第１実施形態において、荷重計測部３５の荷重計測が失敗した後に荷重再計測部３８の荷重計測がされた場合の表示装置３１の画面遷移図である。
【００６４】
コントローラ２４は、再計測判定部３６による再計測判定がＦａｌｓｅからＴｒｕｅに変化した場合、オペレータにフロント作業装置１２の動作の停止を促すメッセージ（図８の例では「フロント静止」）を表示装置３１の表示画面５０上に設けられた再計測報知部３９に表示させる信号を表示装置３１に出力する。その後、コントローラ２４は、停止判定部３７で演算される停止時間カウントが正になった場合、または、計測動作判定部３４により解放動作中であると判定された場合、再計測報知部３９に表示したメッセージを隠す信号を表示装置３１に出力する。
【００６５】
このようなコントローラ２４の処理により、表示装置３１の画面表示は図８に示すようにイベントと連動して遷移する。つまり、再計測判定部３６により再計測が必要であると判定された場合には、「フロント静止」というメッセージが表示装置３１に表示されるので、これを見たオペレータは、荷重計測部３５による運搬動作中の荷重値の計測が失敗し、解放動作の前にフロント作業装置１２を一旦停止させて荷重再計測部３８により荷重値を再計測する必要があることを認識できる。
【００６６】
なお、再計測報知部３９を介したオペレータへの報知は、上記のメッセージに代えてアイコン等の図形や記号を表示してもよいしブザーや音声等で行ってもよい。また、これらを適宜組み合わせて報知してもよい。
【００６７】
［作用・効果］
上記の実施形態では、油圧シリンダ１６，１７，１８で駆動され、運搬物を運搬するフロント作業装置１２と、油圧シリンダ１６の圧力を検出する圧力検出装置３３と、フロント作業装置１２の姿勢を検出する姿勢検出装置３２と、フロント作業装置１２の姿勢に基づいてフロント作業装置１２が所定の動作（計測動作）をしているか否かを判定する計測動作判定部３４、及び、計測動作判定部３４によりフロント作業装置１２が計測動作をしていると判定されたときに油圧シリンダ１６，１７，１８の圧力とフロント作業装置１２の姿勢に基づいて運搬物の荷重を計測する荷重計測部３５を有するコントローラ２４とを備えた油圧ショベルにおいて、コントローラ２４は、計測動作判定部３４によりフロント作業装置１２が計測動作をしている状態から計測動作をしていない状態に遷移したと判定されたときに、フロント作業装置１２が計測動作をしていた状態が継続した時間（計測時間カウント）に基づいて運搬物の荷重の再計測の要否を判定する再計測判定部３６と、フロント作業装置１２の姿勢に基づいてフロント作業装置１２の動作が停止しているか否かを判定する停止判定部３７と、再計測判定部３６により再計測が必要であると判定され、かつ、停止判定部３７によりフロント作業装置１２の動作が停止していると判定されたときに、油圧シリンダ１６，１７，１８の圧力とフロント作業装置１２の姿勢に基づいて運搬物の荷重を計測する荷重再計測部３８とをさらに備え、再計測判定部３６により再計測が必要であると判定されたときに、オペレータにフロント作業装置１２の動作の停止を促す旨報知する表示装置３１をさらに備えることとした。
【００６８】
上記のように構成した油圧ショベルでは、計測動作の継続時間（計測時間カウント）が基準値Ｔ１に到達せず荷重計測部３５による運搬動作中の荷重計測が失敗した場合、オペレータに対してフロント作業装置１２の動作の停止を促すメッセージ（「フロント停止」）が表示装置３１に速やかに表示される。これにより、このメッセージを見たオペレータは荷重計測部３５による荷重計測が失敗したことを認識できる。本実施形態では、運搬動作の開始後間もなく計測動作が開始され（図３のステップＳ１０１参照）、基準値Ｔ１を運搬動作に要する時間より短い時間に設定しているので（図４のステップＳ２０３参照）、通常、フロント作業装置１２の停止を促すメッセージは運搬動作中に表示される。すなわち、本実施形態によれば、フロント作業装置１２の停止を促すメッセージを解放動作の開始前にオペレータに提示できる。さらに、このメッセージに従ってオペレータがフロント作業装置１２を停止させた場合には、荷重再計測部３８により荷重の再計測が行われる。荷重再計測部３８は、フロント作業装置１２を停止させるだけで荷重の再計測が可能である。そのため、計測動作を再度行う場合と比較して無駄な動作の発生を抑制でき、運搬作業が中断する時間の増加を抑制できる。したがって、本実施形態によれば、計測動作中の荷重計測が失敗しても、フロント作業装置１２を停止させるだけで運搬物の荷重を計測できるので、荷重の再計測に伴う作業効率の低下を抑制できる。
【００６９】
＜第２実施形態＞
［荷重計測システムの構成］
図９は第２実施形態の油圧ショベルに搭載された荷重計測システムの概略構成図である。本実施形態は表示装置３１の表示形態が第１実施形態と異なるが、他の部分はコントローラ２４内の構成を含め第１実施形態と同じである。以下では、第１実施形態と同じ部分には同じ符号を付して説明は省略し、第１実施形態と異なる部分について説明する。
【００７０】
荷重計測部３５は、図４のフローチャートにおけるステップＳ２０４で、ステップＳ２０２で算出した荷重値（平均荷重値Ｍａｖｅ）を荷重情報提示部４０に表示させる信号を表示装置３１に出力する。一方、ステップＳ２０４を通過しない場合（つまり、荷重計測部３５による荷重計測が失敗した場合）には、荷重計測部３５は荷重値を荷重情報提示部４０に表示させない。この場合、荷重情報提示部４０の表示は図１０における画面５０Ａの荷重情報提示部４０のようになる。
【００７１】
荷重再計測部３８は、図７のフローチャートにおけるステップＳ５０６で、ステップＳ５０４で算出した荷重値（平均荷重値Ｍａｖｅｓｔ）を荷重情報提示部４０に表示させる信号を表示装置３１に出力する。この場合の荷重値は、図１０における画面５０Ｃのように、「フロント停止」というメッセージの表示後に荷重情報提示部４０に表示される。一方、ステップＳ５０６を通過しない場合（つまり、荷重計測部３５による荷重計測が成功した場合）には、荷重再計測部３８は荷重値を荷重情報提示部４０に表示させない。この場合、荷重情報提示部４０には荷重計測部３５で演算された荷重値が表示される。
【００７２】
図１０は、第２実施形態において、荷重計測部３５の荷重計測が失敗した後に荷重再計測部３８の荷重計測がされた場合の表示装置３１の画面遷移図である。図１０に示すように、表示装置３１の表示画面５０（５０Ａ，５０Ｂ，５０Ｃ）には、コントローラ２４の荷重計測部３５又は荷重再計測部３８により演算された運搬物の荷重が表示される荷重情報提示部４０と、荷重計測部３５又は荷重再計測部３８により演算された運搬物の荷重の積算値が表示される積算情報提示部４２が設けられている。
【００７３】
ここで図１０を参照し、第２実施形態において、荷重計測部３５の荷重計測が失敗した後に、荷重再計測部３８の荷重計測がされた場合の画面遷移について説明する。運搬作業中、コントローラ２４は荷重計測部３５と荷重再計測部３８による荷重計測を所定の制御周期で繰り返す（図４のステップＳ２００，図７のステップＳ５００）。この時点では、計測動作判定部３４により計測動作が検出されない、又は、計測動作が検出されても計測時間カウントが基準値Ｔ１未満なので、図１０の画面５０Ａが示すように荷重情報提示部４０にはいずれの荷重値も表示されない。
【００７４】
その後、運搬動作中に計測動作が中断し、計測時間カウント（計測動作の継続時間）が基準値Ｔ１以下と判断された場合には、再計測判定部３６による再計測判定がＴｒｕｅになり、コントローラ２４は、フロント作業装置１２の動作の停止をオペレータに促すメッセージ（「フロント停止」）を再計測推奨部３９に表示する（図１０の画面５０Ｂ参照）。
【００７５】
その後、オペレータがメッセージに従って操作レバー２３の操作を中断し、停止時間カウント（フロント作業装置１２の停止時間）が基準値Ｔ２以上に達した場合には、荷重再計測部３８は、ステップＳ５０４で算出した荷重値（平均荷重値Ｍａｖｅｓｔ）を荷重情報提示部４０に表示する（図１０の画面５０Ｃ参照）。これにより、荷重計測部３５での荷重計測が失敗しても、荷重再計測部３８で算出した荷重値を表示装置３１に表示してオペレータに提示することができる。上記の構成によれば、オペレータは運搬中の運搬物の荷重を認識でき、ダンプトラックなどへの運搬物の積込時に積込量を調整できる。
【００７６】
＜その他＞
本発明は上記した実施形態に限定されるものではなく、様々な変形例が含まれる。例えば、本実施形態の説明に用いた油圧ショベル１は上部旋回体１１、ブーム１３、アーム１４、バケット１５を有しているが、作業機械の構成はこれに限らず，例えばバケット１５の代わりにリフティングマグネットやグラップルなどを備えた構成の作業機械にも本発明は適用可能である。
【００７７】
また、本発明の適用対象は、上記構成のフロント作業装置１２を具備した油圧ショベルに限らず、流体圧シリンダとフロント作業装置のモーメントに基づいて運搬荷重が計測可能な作業機械（例えばホイールローダやクレーンなど）であれば、関節数や関節が油圧ショベルと異なっても良い。
【００７８】
上記では油圧シリンダで作業腕１２を駆動する油圧ショベルを例に挙げて説明したが、水圧シリンダや空圧シリンダ等の流体圧シリンダで作業腕を駆動する作業機械に適用することも可能である。
【００７９】
コントローラ２４の各部は、図２のように１台のコンピュータに搭載する必要は無く、相互通信可能な複数のコンピュータに分散しても良い。この場合、コンピュータの設置場所は作業機械上に限定されない。
【００８０】
姿勢検出装置３２は上記のＩＭＵ２５−２８に限らず、油圧シリンダのストロークを検出する測距センサや、関節同士の相対角を取得するポテンショメータやロータリエンコーダ、角速度や加速度を検出するジャイロセンサ、加速度センサ等、姿勢を検出することが可能なデバイスであればいずれを使用してもよい。
【００８１】
圧力検出装置３３はブームシリンダ１６の圧力を取得する圧力センサ２９，３０に限らず、アームシリンダ１７、バケットシリンダ１８及び上部旋回体用の旋回油圧モータ２１等のような、作業機械に備え付けられた流体シリンダ及び流体圧モータの駆動圧を取得する圧力センサを必要に応じて利用してもよい。
【００８２】
計測動作判定部３４が判定する計測動作は荷重計測中に外乱が少ない動作であり、運搬物が落下しない姿勢であること、計測精度を担保できる姿勢であることが望ましい。そのため計測動作は作業機械の構成によって異なる。本発明を油圧ショベルに適用した場合を説明した上記では、計測動作を、フロント作業装置１２に保持した運搬物を油圧シリンダ（ブームシリンダ１６）を駆動することにより持ち上げる動作とした。より具体的には、バケット開口面の対地角が運搬物である土砂のこぼれない角度範囲であること、かつ、ブームの持ち上げ速度が一定値以上であることの２つを計測動作の条件としたが、後者の条件の代わりに車体旋回角速度が一定速以上であることを条件としてもよい。また、これら３つすべてを計測動作の条件としても良い。また、バケットの代わりに電磁石（リフティングマグネット）を装備した油圧ショベル（マグネット機）であれば、バケット開口面の対地角の条件の代わりに、電磁石が吸着状態であることを運搬物が落下しない条件してもよい。ホイールローダのような走行中に計測する作業機械であれば、外乱が少ない走行加速度一定範囲内を所定動作に追加してもよい。なお、計測動作の判定に際し、運搬物が車体近傍に位置する場合は、姿勢推定誤差の影響が拡大して精度が低下することから、上記の２又は３条件を満たしている場合でも計測動作から除外してもよい。
【００８３】
計測動作判定部３４による解放動作の判定（図３のステップＳ１０３）に際しては、バケット１５を操作するための操作信号だけでなく、バケット１５の対地角や、バケット１５を操作するための操作信号の積分値や操作時間、マグネット機であれば磁力で保持した運搬物の解放する際に入力される信号を利用しても良い。
【００８４】
荷重計測部３５及び荷重再計測部３８による運搬物の荷重演算は、上記の式（１）から（１１）を利用するモデルに限定されるものではなく、他の演算式を用いても良い。例えば、ブーム１３、アーム１４、バケット１５それぞれの角度と、ブームシリンダ１６の圧力に対する荷重のマップを保持しておき、そのマップと圧力値から荷重を演算してもよい。また、ブーム１３，アーム１４，バケット１５により構成されるフロント作業装置１２の運動方程式に含まれる一部の項を除いたものを用いて荷重を演算してもよい。また、シリンダの推力式の補正係数は、気温や気圧、作動油の特性、エンジン回転数など姿勢によらない物理量で補正したものであってもよい。さらに、上記では、荷重値の精度を向上する目的で、ステップＳ２００又はステップＳ５００で演算された複数の荷重値の平均（ステップＳ２０２）を最終的な荷重値としたが（ステップＳ２０４，Ｓ）、この平均化処理は省略しても良い。また、上記の荷重計測部３５及び荷重再計測部３８は、常に荷重値を演算するように構成されているが、荷重計測部３５は計測動作判定がＴｒｕｅのとき、また、荷重再計測部３８は再計測判定がＴｒｕｅのときに荷重値を演算するように構成しても良い。
【００８５】
再計測判定部３６で再計測「要」と判定されたときにフロント作業装置１２の動作の停止をオペレータに促す手段は、表示装置３１に限られず、音声・ブザーの出力や、ランプの点灯が可能な警報装置など、オペレータにフロント作業装置１２の動作の停止を促す旨を報知可能な装置（報知装置）であれば利用可能である。
【００８６】
図８では、操作室２２にオペレータが搭乗している場合を想定して、荷重計測部３５による運搬動作中の荷重計測が失敗した場合には、フロント作業装置１２の停止を促すメッセージを表示装置３１に提示する場合を説明したが、遠隔制御や自律制御等により操作室２２が無人の場合には、荷重計測の失敗が検出されたら速やかにフロント作業装置１２を停止させ、計測部３８による計測を完了してから運搬作業に復帰するように油圧ショベルの動作をプログラムしても良い。また、荷重計測が失敗した時刻及び個体の識別情報を外部の端末（例えば管理サーバー）に出力し、油圧ショベルの制御プログラムの改善等に活用しても良い。
【００８７】
図１０では、荷重計測部３５と荷重再計測部３８が算出した荷重値をともに荷重情報提示部４０に表示する構成としたが、荷重計測部３５と荷重再計測部３８が算出した荷重値を画面上に個別に表示しても良い。この場合の具体的な表示画面としては、荷重情報提示部４０には荷重計測部３５による算出荷重値のみを表示し、荷重再計測部３８による算出荷重値が表示される荷重情報再提示部（図示せず）を画面上に追加するものがある。
【符号の説明】
【００８８】
１…油圧ショベル、１０…下部走行体、１１…上部旋回体、１２…フロント作業装置（作業腕）、１３…ブーム、１４…アーム、１５…バケット、１６…ブームシリンダ（流体圧シリンダ）、１７…アームシリンダ（流体圧シリンダ）、１８…バケットシリンダ（流体圧シリンダ）、２４…コントローラ（制御装置）、２９…ブームボトム圧センサ、３０…ブームロッド圧センサ、３１…表示装置（報知装置）、３２…姿勢検出装置、３３…圧力検出装置、３４…計測動作判定部、３５…荷重計測部、３６…再計測判定部、３７…停止判定部、３８…荷重再計測部、３９…再計測報知部、４０…荷重情報提示部、４１…積算情報提示部、５０…表示画面
【図１】
2018154976.tif 000003
【図２】
2018154976.tif 000004
【図３】
2018154976.tif 000005
【図４】
2018154976.tif 000006
【図５】
2018154976.tif 000007
【図６】
2018154976.tif 000008
【図７】
2018154976.tif 000009
【図８】
2018154976.tif 000010
【図９】
2018154976.tif 000011
【図１０】
2018154976.tif 000012